(57)【要約】【課題】バリアがレンズユニットの前部を閉鎖した状態で、相隣接するバリア相互の対向面に生じる隙間が見栄えを損なわないようにしたレンズキャップおよび撮像装置を得る。【解決手段】レンズユニットの固定筒前端外周部に装着するリング状のベース９と、ベース９の外周部にベース９の前端開口を開閉可能に軸によって支持された複数のバリア４６を備え、各バリア４６は、外周部が軸４によって回転可能に支持され、ベース９の前端開口を閉鎖する向きに回転付勢されている。レンズユニットが使用位置に繰り出されるとき回転筒の前端外周部に押され付勢力に抗し回転させられてベース９の前端開口を開放しレンズ保持筒から離間する。ベース９の前端開口を閉鎖した状態において、互いに隣接するバリア４６の対向縁部が、レンズ光軸方向から見て重なり合っている。【選択図】図２
2011095717.tif 000002
【特許請求の範囲】
【請求項１】
固定筒に対して軸線周りに回転駆動されることにより固定筒の内周側で進退する回転筒と、レンズを保持するとともに回転筒の回転により回転筒の内周側で軸線方向に進退するレンズ保持筒を含むレンズユニットを備えている撮像装置に装着することができるレンズキャップであって、
上記レンズユニットの固定筒前端外周部に装着可能なリング状のベースと、
上記ベースの外周部にこのベースの前端開口を開閉可能に軸によって支持されている複数のバリアと、を備え、
上記各バリアは、外周部が軸によって回転可能に支持され、上記ベースの前端開口を閉鎖する向きに回転付勢されるとともに、上記レンズユニットが収納位置から使用位置に繰り出されるとき上記回転筒の前端外周部に押され上記付勢力に抗し回転させられて上記ベースの前端開口を開放し上記レンズ保持筒から離間するように構成され、
上記各バリアはまた、上記ベースの前端開口を閉鎖した状態において、互いに隣接するバリアの対向縁部が、レンズ光軸方向から見て重なり合っていることを特徴とするレンズキャップ。
【請求項２】
上記各バリアは、円の中心点に対し開き角度をもった扇形に３分割され、各バリアの外周部が軸によって回転可能に支持されている請求項１記載のレンズキャップ。
【請求項３】
ベースの前端開口を閉鎖した状態において互いに隣接するバリアの対向縁部は、円弧を描くように円弧状の線に沿って分割されている請求項１又は２記載のレンズキャップ。
【請求項４】
ベースの前端開口を閉鎖した状態において互いに隣接するバリアの厚さ方向の対向面形状は、互いに隣接するバリアの一方は凸面であり他方は凹面である請求項１、２または３記載のレンズキャップ。
【請求項５】
ベースの前端開口を閉鎖した状態において互いに隣接するバリアの対向面である上記凸面と凹面は、同心の円弧に沿って形成されている請求項４記載のレンズキャップ。
【請求項６】
ベースの前端開口を閉鎖した状態において互いに隣接するバリアの対向面である上記凸面と凹面は、互いに隣接する上記バリアのいずれか一方の回転中心軸を中心とした同心の円弧に沿って形成されている請求項４記載のレンズキャップ。
【請求項７】
上記各バリアは、ベースの前端開口を閉鎖した状態において互いに隣接するバリアの厚さ方向の対向面に、レンズ光軸方向から見て重なり合うリブを有する請求項１ないし６のいずれかに記載のレンズキャップ。
【請求項８】
上記リブの先端面形状は、互いに隣接する上記バリアの一方において凸面であり他方において凹面である請求項７記載のレンズキャップ。
【請求項９】
上記リブの凸面からなる先端面形状と凹面からなる先端面形状は、同心の円弧に沿って形成されている請求項８記載のレンズキャップ。
【請求項１０】
上記リブの凸面からなる先端面形状と凹面からなる先端面形状は、互いに隣接する上記バリアのいずれか一方の回転中心軸を中心とした同心の円弧に沿って形成されている請求項８記載のレンズキャップ。
【請求項１１】
固定筒に対して軸線周りに回転駆動されることにより固定筒の内周側で進退する回転筒と、レンズを保持するとともに回転筒の回転により回転筒の内周側で軸線方向に進退するレンズ保持筒を含むレンズユニットを備えている撮像装置に装着することができるレンズキャップであって、
上記レンズユニットの固定筒前端外周部に装着可能なリング状のベースと、
上記ベースの外周部にこのベースの前端開口を開閉可能に軸によって支持されている複数のバリアと、を備え、
上記各バリアは、外周部が軸によって回転可能に支持され、上記レンズユニットが収納位置から使用位置に繰り出されるとき上記レンズユニットに押されて上記ベースの前端開口を開放するとともに、上記レンズユニットが収納位置にあるとき上記ベースの前端開口を閉鎖可能に構成され、
上記各バリアはまた、ベースの前端開口を閉鎖した状態において、互いに隣接するバリアの対向縁部が、レンズ光軸方向から見て重なり合っていることを特徴とするレンズキャップ。
【請求項１２】
固定筒に対して軸線周りに回転駆動されることにより固定筒の内周側で進退する回転筒と、レンズを保持するとともに回転筒の回転により回転筒の内周側で軸線方向に進退するレンズ保持筒を含むレンズユニット備えている撮像装置であって、
上記固定筒の外周部に、請求項１乃至１１のいずれかに記載のレンズキャップを装着するレンズキャップ装着部を備えていることを特徴とする撮像装置。
【請求項１３】
上記レンズキャップの装着部はバヨネット構造である請求項１２記載の撮像装置。
【発明の詳細な説明】
【技術分野】
【０００１】
本発明は、各種カメラなどの撮像装置に用いられるレンズキャップおよびこのレンズキャップを備えた撮像装置に関するものである。
【背景技術】
【０００２】
各種カメラなどの撮像装置は、使用しないときに撮影レンズの前面がむき出しになっていると、レンズに傷をつけ、あるいはレンズを汚すので、レンズキャップでレンズ前面を覆うようにしたものがあり、あるいはバリアを備えたものがある。近年広く普及している沈胴式レンズ鏡胴を備えたコンパクトカメラの多くは、レンズ鏡胴を沈胴させることに連動させてバリアを閉じ、レンズを保護するようになっている。
【０００３】
最近のカメラ市場においては、カメラの小型化が要求される一方で、ズームレンズの変倍率が高変倍率であること、広画角での撮影が可能であることなどの要求があり、レンズ鏡胴が大型化している傾向が見られる。携帯性も重要な要求項目であって、未使用時にレンズの前面に手指などが触れることのないように保護するための保護部材が装着可能であることも要求されている。これらの要求を満たすために、レンズバリアを組み込み、あるいはレンズキャップ装着することができるようにしたものがある。しかし、レンズユニット内部にレンズバリアを組み込むと、広画角のレンズの場合レンズ前端の径が大きくなるためバリア自体が大きくなり、バリアの駆動機構も大きくなってレンズユニットが嵩張る。その点、外付け式のレンズキャップであればレンズユニットの大型化を避けることができるが、レンズキャップはユーザー自身が着脱する方式がほとんどであり、操作性に劣る。
以上のようなことから、レンズバリア乃至はレンズキャップに関して各種の工夫がなされているが、以下に述べる特許文献記載の発明からも明らかなように、さらに改良すべき余地がある。
【０００４】
沈胴式レンズ鏡胴を備えたレンズバリア付きカメラの例として特許文献１記載のものが知られている。特許文献１記載の発明は、レンズキャップタイプのレンズバリアを、レンズが固定された鏡筒の前端外周部に、光軸に対し直交する方向の軸を中心に回動自在に取り付けたものである。上記鏡筒の内周側にはこの鏡筒に沿って進退しかつレンズを内蔵する鏡枠が組み込まれ、鏡枠が後退して上記鏡筒内に収納された状態では上記バリアが鏡筒および鏡枠の前端を覆い、鏡枠が上記鏡筒から進出すると、上記バリアが上記鏡枠前端に押されて回動し、鏡枠の前端を開放するようになっている。バリアが鏡枠前端を覆っている態様と鏡枠前端を開放している態様では、いわゆるクリック機構が働いてそれぞれの位置を暫定的に保持するようになっている。
【０００５】
特許文献１記載の発明は１枚羽根式のバリアであるが、特許文献２には２枚羽根式のレンズバリア装置が記載されている。特許文献２記載の発明は、バリアを閉じた状態でバリアとカメラの外面とを同一面にすることができ、かつ、バリア開放状態でレンズフードとして使用することができるようにすることを目的としている。この目的を達成するために、２枚のバリアの各一端部を、カメラの前側上下において軸を中心に回転可能に支持し、かつ、これらのバリアを、撮影レンズ前面を閉じる向きに付勢し、撮影準備操作と撮影停止操作に連動して移動する連動部材によって上記バリアを開閉させるように構成している。撮影準備操作ではこれに連動部材が連動してバリアを付勢力に抗し回転させて撮影レンズ前面を開放し、撮影停止操作によってバリアを付勢力によって回転させて撮影レンズ前面を閉鎖するようになっている。
【０００６】
特許文献１記載の発明によれば、レンズキャップ型のバリアがレンズ前面を開放する側に作動するときの駆動力をレンズユニットの駆動力から得ており、この駆動力はバリアをその付勢力に抗して駆動できるものであることが要求される。しかるに、バリアを完全に開放させるまで、レンズ駆動機構に常時バリアの付勢力が加わる。しかも、バリアを駆動するのは、レンズ駆動機構の最も先端にあってレンズを保持している鏡枠である。このレンズ鏡枠は高い位置精度が要求され、位置精度が劣化すると、撮影画像も劣化する。上記レンズ鏡枠にバリアが当接する特許文献１に記載されている発明の構成では、レンズ鏡枠が撮影可能な位置にあるときは常時バリアの付勢力が外力としてレンズ鏡枠に加わるため、レンズ鏡枠の位置を高い精度維持するには不利である。また、レンズユニットの耐久性、信頼性の点においても不利である。
【０００７】
特許文献２記載の発明は、バリアが２枚羽根になっている点で特許文献１記載の発明と異なっているが、基本的には特許文献１記載の発明と同様に、バリアを閉じる向きに付勢し、撮影レンズを沈胴位置から撮影可能な位置まで移動させるとき、また、撮影可能な位置にあるときも、バリアの付勢力が最も先端にあるレンズ鏡筒に常時加わるため、レンズ鏡筒の位置を高い精度で維持するには不利な構成になっている。また、レンズユニットの耐久性、信頼性の点においても不利である。さらに、特許文献２記載の発明の場合、カメラを使用するときに、レンズ鏡筒前面を開放しているバリアが、ストロボ発光時の照明光の一部を遮ることのないようにし、あるいは、外部測距用光路の一部をバリアが遮ることのないようにする必要があり、カメラ設計上の制約要因となっている。
【０００８】
また、バリアが複数枚に分割されているレンズキャップにあっては、各バリアがレンズの前端を閉鎖した状態において、相隣接するバリアの対向縁部相互間に隙間が生じる難点があった。以下、この難点について図面を参照しながら説明する。図３０、図３１に示すレンズキャップは、リング状のベース９と、このベース９の前端部を開閉する３分割されたバリア６２を有してなる。ベース９は、カメラなどの撮像装置に組み込まれているレンズユニットの外周に、例えばバヨネット機構によって着脱することができる。各バリア６２は、円板を中心角１２０度で等分した扇形をしていて、各バリア６２の円弧状の外側部が、ベース９の外周にその接線方向に設けた軸４２によりこの軸を中心にして回転可能に支持されている。各バリア６２は、各軸４２を中心に回転することにより、ベース９の前端を開閉することができる。各バリア６２は、ばね付勢力によってベース９の前端を閉鎖する方向に付勢され、レンズユニットが収納位置から使用位置に繰り出されるとき、繰り出される筒に押されて付勢力に抗して回転し、レンズユニットの前方を開放する。レンズユニットが収納位置に移動すると、各バリア６２が付勢力によって回転し、レンズユニットの前方を閉鎖する。
【０００９】
図３２、図３３はバリア６２が閉鎖位置にある状態を示しており、図３３は相隣接するバリア６２の対向縁部を拡大したものである。各バリア６２の対向縁部６２１は、レンズキャップをレンズユニットに装着し、各バリア６２でレンズユニットの前端を遮蔽した状態で互いに平行面をなすように形成されている。したがって、各バリア６２によってレンズユニットの前端を開閉することができるようにするためには、レンズユニットの前端を遮蔽した状態において各バリア６２の対向縁部６２１間にある程度の隙間を設ける必要がある。したがって、バリア６２でレンズユニットの前端を遮蔽した状態において、上記隙間から内部のレンズが見えることになり、見栄えが良くない。上記隙間から塵埃が侵入しやすいという難点もある。
【発明の概要】
【発明が解決しようとする課題】
【００１０】
本発明は、以上説明したような従来技術の問題点を解消するためになされたもので、レンズユニットが撮影位置にあるときレンズユニットの前面を開放し、レンズユニットが収納位置にあるときレンズユニットの前面を閉鎖するレンズキャップであって、レンズユニットが撮影位置にあるとき、レンズを保持している鏡筒にレンズキャップが当接することのないように構成を工夫し、撮影時におけるレンズ保持鏡筒の位置精度を高めることができるレンズキャップを提供することを目的とする。
【００１１】
本発明はまた、バリアがレンズユニットの前部を閉鎖した状態において、相隣接するバリア相互の対向面に生じる隙間が見栄えを損なうことがなく、上記隙間から塵埃が侵入しにくいように構造を工夫したレンズキャップを得ることを目的とする。
【課題を解決するための手段】
【００１２】
本発明は、固定筒に対して軸線周りに回転駆動されることにより固定筒の内周側で進退する回転筒と、レンズを保持するとともに回転筒の回転により回転筒の内周側で軸線方向に進退するレンズ保持筒を含むレンズユニットを備えている撮像装置に装着することができるレンズキャップであって、上記レンズユニットの固定筒前端外周部に装着可能なリング状のベースと、上記ベースの外周部にこのベースの前端開口を開閉可能に軸によって支持されている複数のバリアと、を備え、上記各バリアは、外周部が軸によって回転可能に支持され、ベースの前端開口を閉鎖する向きに回転付勢されるとともに、上記レンズユニットが収納位置から使用位置に繰り出されるとき上記回転筒の前端外周部に押され上記付勢力に抗し回転させられて上記ベースの前端開口を開放し上記レンズ保持筒から離間するように構成され、上記各バリアはまた、ベースの前端開口を閉鎖した状態において、互いに隣接するバリアの対向縁部が、レンズ光軸方向から見て重なり合っていることを最も主要な特徴とする。
【００１３】
上記各バリアは、円形の中心点に対し開き角度をもった扇形に３分割された形にし、各バリアの外周部を軸によって回転可能に支持するとよい。
ベースの前端開口を閉鎖した状態において互いに隣接するバリアの対向縁部は円弧を描くように円弧状の線に沿って分割するとよい。
【００１４】
ベースの前端開口を閉鎖した状態において互いに隣接するバリアの対向面形状を、互いに隣接するバリアの一方は凸面に他方は凹面にするとよい。
ベースの前端開口を閉鎖した状態において互いに隣接するバリアの対向面である上記凸面と凹面は、同心の円弧に沿って形成するとよい。
ベースの前端開口を閉鎖した状態において互いに隣接するバリアの対向面である上記凸面と凹面は、互いに隣接する上記バリアのいずれか一方の回転中心軸を中心とした同心の円弧に沿って形成するとよい。
【００１５】
上記各バリアは、ベースの前端開口を閉鎖した状態において互いに隣接するバリアの厚さ方向の対向面に、レンズ光軸方向から見て重なり合うリブを有する構成にするとよい。
上記リブの先端面形状は、互いに隣接する上記バリアの一方において凸面とし他方において凹面とするとよい。
上記リブの凸面からなる先端面形状と凹面からなる先端面形状は、同心の円弧に沿って形成するとよい。
上記リブの凸面からなる先端面形状と凹面からなる先端面形状は、互いに隣接する上記バリアのいずれか一方の回転中心軸を中心とした同心の円弧に沿って形成するとよい。
【００１６】
本発明はまた、固定筒に対して軸線周りに回転駆動されることにより固定筒の内周側で進退する回転筒と、レンズを保持するとともに回転筒の回転により回転筒の内周側で軸線方向に進退するレンズ保持筒を含むレンズユニットを備えている撮像装置に装着することができるレンズキャップであって、上記レンズユニットの固定筒前端外周部に装着可能なリング状のベースと、上記ベースの外周部にこのベースの前端開口を開閉可能に軸によって支持されている複数のバリアと、を備え、上記各バリアは、外周部が軸によって回転可能に支持され、上記レンズユニットが収納位置から使用位置に繰り出されるとき上記レンズユニットに押されて上記ベースの前端開口を開放するとともに、上記レンズユニットが収納位置にあるとき上記ベースの前端開口を閉鎖可能に構成され、上記各バリアはまた、ベースの前端開口を閉鎖した状態において、互いに隣接するバリアの対向縁部が、レンズ光軸方向から見て重なり合っていることを特徴とする。
【００１７】
本発明に係る撮像装置は、固定筒に対して軸線周りに回転駆動されることにより固定筒の内周側で進退する回転筒と、レンズを保持するとともに回転筒の回転により回転筒の内周側で軸線方向に進退するレンズ保持筒を含むレンズユニット備え、上記固定筒の外周部に、上に述べたような本発明に係るレンズキャップのいずれかを装着することができる装着部を備えていることを特徴とする。
上記レンズキャップの装着部はバヨネット構造にするとよい。
【発明の効果】
【００１８】
本発明によれば、各バリアは、ベースの前端開口を閉鎖した状態において、互いに隣接するバリアの対向縁部が、レンズ光軸方向から見て重なり合うように構成されているため、各バリアがベースの前端開口を閉鎖した状態において、この閉鎖位置にある各バリアを光軸方向から見たとき、レンズ面が見えないため、見栄えがよくなる。塵埃がレンズに向かって侵入しにくいという利点もある。
【００１９】
バリアが複数に分割され、それぞれの外周部が軸によって支持されるとともにベースの前端開口を閉鎖する向きに回転付勢され、また、レンズユニットが収納位置から使用位置に繰り出されるとき回転筒の前端外周部に押され付勢力に抗し回転させられて上記ベースの前端開口を開放し上記レンズ保持筒から離間するように構成されたレンズキャップによれば、レンズユニットが収納されるとバリアも付勢力により回転して上記ベースの前端開口、したがってレンズユニットの前端を閉鎖するから、レンズキャップを閉め忘れることはない。また、レンズユニットが使用位置に繰り出されているときは、バリアの付勢力がレンズを保持している筒に加わることはないから、撮影時におけるレンズ保持筒の位置精度を高めることができる。
【００２０】
各バリアの構成を、ベースの前端開口を閉鎖した状態において互いに隣接するバリアの対向縁部の厚さ方向に、レンズ光軸方向から見て重なり合うリブを有する構成とすれば、レンズ光軸に対して斜め方向からレンズを見ても、上記リブにより視線が遮られてレンズ面を見ることができず、より一層見栄えがよくなるとともに、塵埃がレンズに向かって侵入しにくくなる。
【００２１】
本発明にかかる撮像装置によれば、上記のような構成のレンズキャップを装着可能であることにより、上記のような効果を得ることができる撮像装置を提供することができる。
【００２２】
本発明にかかる撮像装置のその他の変形実施例によって得られる効果は、それぞれの実施例の説明において記載することにする。
【図面の簡単な説明】
【００２３】
【図１】本発明にかかるレンズキャップの第１の実施例を模式的に示す平面図である。
【図２】本発明にかかるレンズキャップの第２の実施例を示す斜視図である。
【図３】上記実施例の正面図である。
【図４】上記実施例の平面図である。
【図５】上記実施例中の互いに隣接するバリアの対向部分を拡大して示す平面図である。
【図６】上記第２の実施例を正面側から示す斜視図である。
【図７】図６中の一部分を拡大して示す正面図である。
【図８】上記実施例に適用可能な互いに隣接するバリアの対向部分の変形例を拡大して示す平面図である。
【図９】上記第２の実施例中のバリアを正面側から示す斜視図である。
【図１０】上記バリアを背面側から示す斜視図である。
【図１１】本発明に係る撮像装置の実施例であってバリアが開いた状態を示す正面図である。
【図１２】上記実施例のバリアが開いた状態を示す斜視図である。
【図１３】上記撮像装置の実施例の異なった作動態様を示す斜視図である。
【図１４】上記撮像装置の要部を示す平面断面図である。
【図１５】上記第２の実施例に係るレンズキャップを背面側から見た斜視図である。
【図１６】上記第２の実施例に係るレンズキャップを背面側の別の角度から見た斜視図である。
【図１７】上記第２の実施例に係るレンズキャップとレンズユニットとの関係を模式的に示す平面断面図である。
【図１８】上記レンズキャップとレンズユニットとの関係を異なる態様で模式的に示す平面断面図である。
【図１９】本発明にかかるレンズキャップを装着する撮像装置であるカメラの例を示す斜視図である。
【図２０】上記カメラの異なった作動態様を示す斜視図である。
【図２１】上記カメラとこれに装着される飾りリングとの関係を示す斜視図である。
【図２２】上記カメラとこれに装着される飾りリングとの関係を異なった角度から示す斜視図である。
【図２３】上記飾りリングを異なった角度から示す斜視図である。
【図２４】本発明に適用することができるレンズユニットを駆動機構とカメラボデーの一部とともに示す斜視図である。
【図２５】上記レンズユニットの縦断面図である。
【図２６】レンズユニットを駆動機構とともに示す斜視図である。
【図２７】上記レンズユニットの異なった作動態様を示す縦断面図である。
【図２８】レンズユニットの異なった作動態様を駆動機構とともに示す斜視図である。
【図２９】上記レンズユニットのさらに異なった作動態様を示す縦断面図である。
【図３０】バリアが複数枚に分割されているレンズキャップの例を示す斜視図である。
【図３１】上記レンズギャップの正面図である。
【図３２】上記レンズギャップの平面図である。
【図３３】図３２中の一部分を拡大して示す平面図である。
【発明を実施するための最良の形態】
【００２４】
以下、本発明にかかるレンズキャップおよびこれを使用することができる撮像装置の実施例につき図を用いて説明する。図示の撮像装置はカメラ、例えばデジタルカメラとして構成されている。まず、本発明にかかるレンズキャップを装着可能なカメラについて、レンズキャップ装着部の構成を重点的に説明する。
【００２５】
図１９、図２０において、カメラ１には、そのボデーの前面側にレンズユニット２が組み込まれている。レンズユニット２は、カメラ１のボデーに固定された固定筒３２に対して軸線周りに回転駆動されることにより固定筒３２の内周側で軸線方向に進退する回転筒１２、レンズを保持するとともに上記回転筒１２の回転により回転筒１２の内周側で軸線方向に進退するレンズ保持筒３０を有してなる。レンズ保持筒３０の内周側において第１群レンズ３が保持されている。回転筒１２はモータによってその中心軸線の周りに回転駆動されることにより、例えばヘリコイドに案内されて軸線方向に進退する。回転筒１２が回転しかつ軸線方向に進退することにより、例えば、直進筒、カム溝などを介してレンズ保持筒３０が軸線方向すなわちレンズ光軸方向に進退するようになっている。回転筒１２はそれ自体がレンズ保持枠を有するものではなく、したがってレンズを保持するものでもない。図１０はレンズユニット２がカメラ１のボデー側に後退した収納態様を示している。図２０はレンズユニット２がカメラ１のボデーから繰り出して撮影可能な態様を示している。
【００２６】
上記固定筒３２の外周前端部には、各種アクセサリーを装着することができるマウント部１６が設けられている。マウント部１６はバヨネットマウントと同様に、マウント部１６の爪部と凹部にアクセサリー側の凹部と爪部を合わせて光軸方向に嵌め、さらに一定の角度範囲でマウント部に対しアクセサリーを光軸周りに相対回転させることにより両者を結合する構成になっている。マウント部１６には、後で説明するように、本発明に係るレンズキャップを装着することができる。
【００２７】
マウント部１６にアクセサリーを装着しないときは、図２１乃至図２３に示すように、マウント部の凹凸形状を隠す飾りリング３４を装着することができるようになっている。飾りリング３４も内周側の構造がマウント部１６に適合した構造になっていて、外周面は見栄えのする滑らかな表面に仕上げられている。飾りリング３４の軸線方向後端面には切り欠き３６が形成されている。マウント部１６に飾りリング３４を上記のように光軸方向に嵌め、光軸の周りに所定角度回転させると、上記切り欠き３６にロックピン３８が嵌まり、飾りリング３４がロックされるようになっている。ロックピン３８はマウント部１６において前方に突出する向きに付勢されている。
【００２８】
カメラ１のボデー前面には、上記ロックピン３８の近傍に解除ボタン１７が設けられている。解除ボタン１７とロックピン３８は連係されていて、解除ボタン１７を押し込むと、ロックピン３８を付勢力に抗して後退させ、飾りリング３４のロックを解除することができるようになっている。このロックを解除することにより、飾りリング３４を装着時とは逆向きに回転させることができ、これによって飾りリング３４を取り外すことができるようになっている。上記ロックおよびロック解除機構は、後述の本発明にかかるレンズキャップの着脱にも用いることができる。
【００２９】
図１９、図２０に示すように、カメラ１の本体の上面には、電源ボタン１３、レリーズボタン１４、モードダイヤル１５、ストロボボタン２４などが配置され、マウント部１６の上方にはストロボ発光器２３が配置されている。図１９、図２０ではストロボ発光器２３が閉じられた態様になっているが、ストロボボタン２４を押すとストロボ発光器２３がポップアップ式に作動して発光部が立ち上がるようになっている。カメラ１の本体の前面上部には、暗い中でも測距できるように被写体に向け補助光を照射するための補助光出射窓２６、外部測距窓（図示されず）などが配置されている。主たる測距はカメラ本体内の撮像素子の出力信号を処理して最もコントラストの高い位置を探すことによって行なわれるが、測距に時間を要するので、外部測距窓２８を使用して三角測量法により迅速に測距し、この測距結果を上記内部測距に活かすことにより、迅速なかつ精度の高い測距を行うようになっている。
【００３０】
次に、レンズユニット２の構成および動作について図２４乃至図２９を参照しながら概略的に説明する。このレンズユニット２の構成は、本出願人の特許願２００７−２５１３４０号にかかる明細書および図面に記載されているレンズ鏡胴の構成と実質的に同じである。図２４乃至図２９において、カメラのボデー内にはレンズユニット２の近傍にレンズユニット駆動用のモータ９０が取り付けられていて、モータ９０の回転力が伝達ギヤ列９２を介して回転筒１２に伝達され、回転筒１２が可逆的に回転駆動されるようになっている。回転筒１２が回転駆動されると、前記固定筒３２と回転筒１２に形成されているヘリコイドの嵌まり合いによって回転筒１２は光軸方向に進退するようになっている。回転筒１２の内周側には直進筒９４が嵌められている。直進筒９４は、光軸方向には回転筒１２とともに移動するが、回転筒１２に対しては光軸を中心に相対回転可能になっており、また、光軸方向の直進ガイドにガイドされることにより直進するようになっている。
【００３１】
直進筒９４の内周側に前記レンズ保持筒３０が嵌められている。レンズ保持筒３０の外周にはピンが突出して設けられていて、このピンが直進筒９４に形成されている直進溝を貫通し、さらに回転筒１２の内周に形成されているカム溝に嵌まっている。したがって、回転筒１２が回転しながら進退しかつ直進筒９４が回転筒１２とともに直進することになって、上記ピンが嵌まる上記直進溝とカム溝との交差位置が光軸方向に移動し、レンズ保持筒３０が光軸方向に移動する。レンズ保持筒３０には第１群レンズ３が保持されている。直進筒９４の内周側には第２群レンズが配置され、回転筒１２と直進筒９４の動きに応じて第２群レンズが光軸方向に移動するようになっているが、第２群レンズの動きに関しては本願発明とは関係がないので説明は省略する。図２４乃至図２７はレンズユニット２が後退してカメラ本体に収納された状態を示す。図２８、図２９はレンズユニット２がカメラ本体から繰り出して撮影可能な状態を示す。
【００３２】
次に、以上説明したレンズユニットを有するカメラに装着して使用する本発明に係るレンズキャップの各種実施例および撮像装置の実施例について説明する。各実施例において、同じ構成部分には同じ符号を付した。
【実施例１】
【００３３】
図１はレンズキャップの第１実施例を示す。図１では、ベースの描写が省略され、バリアも２枚のバリア６のみが描かれており、また、各バリア６の回転軸４は互いに平行であるものとして描かれている。各バリア６は、円板状の板を、その円の中心点に対し所定の開き角度をもって等分された形になっていて、上記円板の外周に対応する部分が、上記図示されないベースに設けられた軸４で支持され、軸４を中心に回転可能に取り付けられている。
【００３４】
上記ベースはリング状に形成され、前述のように、例えばバヨネット構造によって前記レンズユニット２に装着することができる。各バリア６は、上記ベースの前端開口を閉鎖した状態において、互いに隣接するバリア６の対向縁部がレンズ光軸方向から見て重なり合うように、各バリア６の厚さ方向の対向面が、断面において同心円に沿った円弧形状になっている。より具体的には、各バリア６の厚さ方向一端側に上記軸４があり、互いに隣接するバリア６の厚さ方向の対向面は、一つのバリア６の軸４を中心とした円弧に沿った円弧形状に形成されている。
【００３５】
図１に示す円弧６４は、上記軸４を中心にして回転する一方の（図において左方の）バリア６の、他方のバリアとの対向面がなす円弧を示し、円弧６５は、他方のバリア６の、上記一方のバリアとの対向面がなす円弧を示している。したがって、円弧６４と円弧６５は同心の円弧であり、互いに隣接するバリア６の一方の円弧６４からなる面は凸面であり他方の円弧６５からなる面は凹面になっている。図１において左方のバリア６がその軸４を中心にして回転するとき、その端縁部は上記円弧６４に沿って移動する。一方、図１において右方のバリア６がその軸４を中心にして回転するとき、その端縁部の一方の角が移動する軌跡と他方の角が移動する軌跡は異なり、それぞれの軌跡を符号６６，６７で示している。
【００３６】
図１に示す実施例は、各バリア６がベースの前端開口を閉鎖した状態において互いに隣接するバリア６の対向縁部の厚さ方向の形状は、互いに隣接するバリア６のうち片方のバリア６の回転中心軸４を中心とした円弧形状になっている。これにより、各バリア６は、ベースの前端開口を閉鎖した状態において、互いに隣接するバリア６の対向縁部が、レンズ光軸方向から見て重なり合っている。そのため、閉鎖位置にある各バリア６を光軸方向から見たとき、レンズ面が見えず、見栄えがよくなるとともに、塵埃がレンズに向かって侵入しにくいという利点もある。
【００３７】
図１に示す実施例によれば、図１に符号６８で示すように、光軸からずれた位置から、より具体的には、互いに隣接するバリア６の対向縁部の円弧に沿って傾いた方向から、上記対向縁部相互間の隙間を見ると、この隙間を通して内部のレンズを見ることができる。
【実施例２】
【００３８】
そこで、次に示す第２の実施例では、各バリア６によってベースの前端開口を閉鎖した状態において、互いに隣接するバリア６の対向縁部相互の隙間を通して内部のレンズを見ることができないようにして見栄えを良くするとともに、塵埃がより侵入しにくいように工夫されている。
【００３９】
図２乃至図７は第２の実施例を示す。この実施例に係るレンズキャップは、レンズユニットの固定筒前端外周部に装着可能なリング状のベース９と、このベース９の外周部に、このベース９の前端開口を開閉可能に軸４によって支持されている３枚のバリア４６を有してなる。各バリア４６は、円の中心点に対し１２０度の開き角度をもった扇形に近い形に３分割されてそれぞれの外周部が軸４によってベース９に対し回転可能に支持されている。各バリア４６は円の中心点に対し１２０度の開き角度をもっているとはいえ、ベース９の前端開口を閉鎖した状態において互いに隣接するバリア４６の対向縁部４６２の輪郭、すなわちバリア４６を前面または後面から見た端縁の形状が円弧形状になっている。
【００４０】
また、３枚のバリア４６は、ベース９の前端開口を閉鎖した状態において互いに補完し合い、１枚の円板状のバリアの形になるように構成されている。さらに、各バリア４６は、ベース９の前端開口を閉鎖した状態において互いに隣接するバリア４６の対向縁部４６２の厚さ方向に、レンズ光軸方向から見て重なり合うリブ４６１を有している。互いに隣接する一方のバリア４６のリブ４６１と他方のバリア４６のリブ４６１は、これらバリア４６の厚さ方向に互い違いに、すなわち一方のバリア４６には厚さ方向の一方に、他方のバリア４６には厚さ方向の他方にリブ４６１が形成されている。
【００４１】
ベース９をカメラなどのレンズユニットの固定筒にバヨネット構造などによって装着することにより、レンズキャップが装着される。図２ないし図７に示す態様はレンズユニットがカメラなどの本体に沈胴した状態すなわち収納状態であって、各バリア４６がレンズ前面を閉鎖した状態にある。この状態からレンズユニットを使用状態まで繰り出したとする。このレンズの繰り出しは、レンズユニットの固定筒に対して回転筒が軸線周りに回転駆動されることによって行われる。すなわち、回転筒の回転により、固定筒の内周側で上記回転筒が繰り出され、この回転筒の回転および繰り出しにより、回転筒の内周側でレンズを保持したレンズ保持筒が軸線方向に進出する。各バリア４６は、ばねによってベース９の前端開口を閉鎖する向きに回転付勢されている。レンズユニットが収納位置から使用位置に繰り出されるとき、各バリア４６は、上記回転筒の前端外周部に押され上記付勢力に抗し回転させられてベース９の前端開口を開放し上記レンズ保持筒から離間するように構成されている。レンズユニットが使用位置から収納位置に繰り込まれるときは、各バリア４６は付勢力により回転してベース９の前端開口を閉鎖する。レンズユニットの例は、図２４乃至図２９を参照しながら既に説明した。
【００４２】
前述のとおり、各バリア４６は、ベース９の前端開口を閉鎖した状態において互いに隣接するバリア４６の対向縁部４６２の厚さ方向に、レンズ光軸方向から見て重なり合うリブ４６１を有している。互いに隣接する一方のバリア４６のリブ４６１と他方のバリア４６のリブ４６１は、これらバリア４６の厚さ方向に互い違いに形成されている。したがって、図５に拡大して示すように、互いに隣接する一方のバリア４６のリブ４６１と他方のバリア４６のリブ４６１が光軸方向に重なり合い、光軸方向からあるいは光軸に対して傾いた方向から互いに隣接するバリア４６の対向縁部４６２を見ても、内部のレンズを見ることはできない。よって、各バリア４６でレンズユニットの前端を遮蔽した状態における見栄えを良くすることができ、レンズユニット内に侵入しようとする塵埃を遮蔽する効果も高まる。互いに隣接するバリア４６の対向縁部４６２のリブ４６１は、厚さ方向に互い違いに設けられている。
【００４３】
本実施例における各バリア４６の上記リブ４６１の先端面の形状を工夫すると、上に述べた効果に加えて別の効果を得ることができる。図８はその例を示すもので、上記リブ４６１の先端面形状は、互いに隣接するバリア４６の一方において凸面４６６であり他方において凹面４６７となっている。さらに、上記リブ４６１の凸面４６６からなる先端面形状と凹面４６７からなる先端面形状は、同心の円弧に沿って形成されている。図８に示す例では、右側のバリア４６の回転軸４を中心とした同心の円弧に沿って凸面４６６を有するリブ４６１と凹面４６７を有するリブ４６７が形成され、右側のリブ４６１の凸面４６６の半径Ｒ１は、左側のリブ４６１の凹面４６７の半径Ｒ２よりも小さくなっている。したがって、上記凸面４６６の回転軌跡と凹面４６７の回転軌跡には、上記半径Ｒ１とＲ２の差に相当する間隔ｃが生じる。この間隔ｃは、前記レンズ光軸に対して垂直な方向における間隔であり、よって、双方のバリア４６の開閉動作に時間的なずれが生じたとしても、双方のリブ４６１が干渉ことはない。したがって、既に述べた第２の実施例の効果に加えて、バリア４６の所定の開閉動作を、お互いに干渉することなく円滑に行うことができるという効果を得ることができる。
【００４４】
なお、図８では、バリア４６の半径方向の長さを省略して描いているため、バリア４６の半径方向の長さに対する厚さ方向の寸法（厚さ）が異常に大きく描かれている。図１、図５においても同様である。
図８の例では、各バリア４６のリブ４６１の先端面が、一方のバリア４６の回転軸４を中心とする同心円に沿って形成されているものとして説明したが、上記各リブ４６１の先端面は、各バリア４６の開閉時に双方のリブ４６１が干渉しなければ、上記回転軸からずれた点を中心とする同心円に沿って形成されていても差し支えない。
【００４５】
上記実施例における各バリア４６は、図９、図１０に示すような同一形状の例えばプラスチックによる一体成形品を使用することができる。図９、図１０において、各バリア４６は、前記ベース９の外周に沿う部分円弧状の部分と、ベース９の前端開口を閉鎖した状態において互いに隣接するバリア４６と対向する円弧状の二つの縁部４６２を有してなる。各バリア４６は、レンズユニットの前端を覆う平坦な板状の部分と、この板状の部分の外周縁部から一面側（後面側）に立ち上がりかつ全周にわたって連続した突堤状の上記縁部４６２を有してなる。この突堤状の縁部４６２の高さ方向がバリア４６の厚さ方向である。一つのバリア４６において、他の一つのバリア４６に隣接する縁部４６２に形成されているリブ４６１と、さらに他の一つのバリア４６に隣接する縁部４６２に形成されているリブ４６１とでは、縁部４６２の厚さ方向において互いに反対側に形成されている。こうすることによって、各バリア４６の形状を同じにすることができるとともに、各バリア４６がベース９の前端開口を閉鎖した状態において、互いに隣接するバリア４６を、上記リブ４６１の部分で、レンズ光軸方向から見て重なり合わせることができる。
【００４６】
図１０に示すように、バリア４６は、突堤状の縁部４６２で囲まれた空間内に、バリア４６を回転付勢するためのばねなどを配置するための構造、あるいは剛性を保つためのリブその他適宜の構造を備えている。図１０、図１５、図１６に示すように、各バリア４６の内面側に、外周壁の内面から半径方向内側に向かうリブ４６３が一体に形成されている。前記回転筒１２が回転しながら光軸方向に進退するとき、回転筒１２の前端外周部が上記リブ４６３に摺接し、各バリア４６を付勢力に抗して開き、あるいは付勢力によって閉じるようになっている。各バリア４６のリブ４６３に続いてその側面にばね掛け４６４が一体に成形されている。ばね掛け４６４には、図１４に示すように、前記軸４に巻き付けられたばね７の一端が掛けられている。ばね７の他端はベース９の外周壁近傍に形成されているばね掛け９０１に掛けられている。各バリア４６は、それぞれのばね７の弾力によって、ベース９の前端部開口を閉鎖する向きに回転付勢されている。
【００４７】
なお、各バリア４６は、必ずしも前述のような付勢力を与える必要はなく、レンズユニットが収納された状態で、手動によってバリア４６を閉鎖してロックし、レンズユニットが使用状態に繰り出されるとき各バリア４６が回転筒に押されて上記ロックが外れ、レンズユニットの前方を解放するような構成にしてもよい。
【００４８】
第２の実施例によれば、前述のとおり、各バリア４６は、ベース９の前端開口を閉鎖した状態において互いに隣接するバリア４６の対向縁部４６２の輪郭が円弧形状になっている。したがって、各バリア４６がベース９の前端開口を閉鎖した状態において、バリア４６をその前方のある位置から観察すると、相隣接するバリア４６の対向縁部４６２が連続的に円弧状に変化して、双方の隙間の様子が連続的に変化している。これにより、上記隙間を通して内部のレンズが見えにくくなっており、上記隙間が目立たなくなるため、見栄えを良くする効果がある。図７は、図６において点線の円で囲んだ範囲を拡大して示している。図７において、隣接するバリア４６の相対向する縁部４６２相互間に付した平行斜線は、上記隙間が目立たなくなる効果を奏することを示している。各バリア４６の厚さ寸法を大きく、すなわち対向縁部４６２を構成する突堤の高さを高くすると、上記の各効果を高めることができる。
【実施例３】
【００４９】
次に、上記実施例に係るレンズキャップを備えた撮像装置としてのカメラの実施例について説明する。図１１乃至図１３に示すように、上記レンズキャップは、そのベース９がカメラ１のレンズユニット２の固定筒１６に例えばバヨネット構造によって装着されている。レンズユニット２は、既に説明したとおりの構造になっていて、固定筒１６に対して軸線周りに回転駆動されることにより固定筒１６の内周側で進退する回転筒１２と、レンズを保持するとともに回転筒１２の回転により回転筒１２の内周側で軸線方向に進退するレンズ保持筒３０を有している。レンズ保持筒３０は、内周側前端近くにおいて第１群レンズ３を保持している。
【００５０】
図１１乃至図１３において、レンズキャップは前記第２実施例に係るレンズキャップと同じ構成になっている。レンズキャップの各バリア４６は、円板を３等分した形、すなわち円板の中心点に対し１２０度の開き角度をもったほぼ扇形に３分割された形に形成されている。各バリア４６はそれぞれの外周部が軸４によってリング状のベース９に回転可能に支持されている。各軸４の向きはレンズユニットの光軸方向に対して直交する方向であって、各バリア４６は軸４を中心に回転するようになっている。各バリア４６は前記ばね７（図１４参照）によってベース９の前端開口を閉鎖する向きに回転付勢されている。３枚のバリア４６が付勢力により回転してベース９の前端開口を閉鎖した状態では、３枚のバリア４６が合わさって、あたかも円板形のバリアであるかのような形になる。
【００５１】
図１１、図１２はいずれもレンズユニット２がカメラボデーから繰り出し、各バリア４６がレンズユニット２の前面を開放している態様を示している。カメラ１を使用するために前記電源ボタンを押すと、図２４、図２６、図２８に示すモータ９０が起動され、既に説明したとおり、回転筒１２が回転駆動されて、回転筒１２、レンズ保持筒３０が繰り出され、レンズユニット２が撮影可能な状態になる。各バリア４６はいずれも円弧状の縁部がカメラ１のボデーに近い位置で回転可能に支持され、レンズユニット２の前側に向かって幅が狭くなっているため、ストロボ発光器２３（図１１乃至図１３ではいずれも閉じられている）の配光範囲に侵入することはなく、カメラ設計上の制限要因が少なくなっている。
【００５２】
レンズユニット２が収納位置から使用位置に繰り出されるとき、レンズキャップの各バリア４６は、そのリブ４６３が前記回転筒１２の前端外周部に押され、ばね７の付勢力に抗し回転させられてベース９の前端開口を開放する。そして、各バリア４６のリブ４６３は前記レンズ保持筒３０からは離間するように構成されている。そのため、バリア４６の付勢力がレンズ保持筒３０に加わることがなく、レンズ保持筒３０およびこれに保持されているレンズの位置がずれることなく精度よく保たれ、撮像性能の低下を回避することができる。図１７、図１８は回転筒１２と各バリア４６の上記リブ４６３との関係を示している。図１７、図１８において、符号１２１は、回転筒１２と各バリア４６の上記リブ４６３との当接（摺接）位置を示している。
【産業上の利用可能性】
【００５３】
本発明にかかるレンズキャップは、撮像装置としてのカメラに装着されている部品の一部として、あるいはカメラの一部としてカメラとともに販売し使用することができる。カメラとは別にレンズキャップ単体で販売し、カメラに装着して使用するようにしてもよい。
【符号の説明】
【００５４】
１    カメラ
２    レンズユニット
３    第１群レンズ
４    回転軸
７    ばね
９    ベース
１２    回転筒
３０    レンズ保持筒
３２    固定筒
４６    バリア
４６１    リブ
４６２    対向縁部
【先行技術文献】
【特許文献】
【００５５】
【特許文献１】特開２００１−２１９５０号公報
【特許文献２】特開２００２−１４８６８１号公報
【図１】
2011095717.tif 000003
【図２】
2011095717.tif 000004
【図３】
2011095717.tif 000005
【図４】
2011095717.tif 000006
【図５】
2011095717.tif 000007
【図６】
2011095717.tif 000008
【図７】
2011095717.tif 000009
【図８】
2011095717.tif 000010
【図９】
2011095717.tif 000011
【図１０】
2011095717.tif 000012
【図１１】
2011095717.tif 000013
【図１２】
2011095717.tif 000014
【図１３】
2011095717.tif 000015
【図１４】
2011095717.tif 000016
【図１５】
2011095717.tif 000017
【図１６】
2011095717.tif 000018
【図１７】
2011095717.tif 000019
【図１８】
2011095717.tif 000020
【図１９】
2011095717.tif 000021
【図２０】
2011095717.tif 000022
【図２１】
2011095717.tif 000023
【図２２】
2011095717.tif 000024
【図２３】
2011095717.tif 000025
【図２４】
2011095717.tif 000026
【図２５】
2011095717.tif 000027
【図２６】
2011095717.tif 000028
【図２７】
2011095717.tif 000029
【図２８】
2011095717.tif 000030
【図２９】
2011095717.tif 000031
【図３０】
2011095717.tif 000032
【図３１】
2011095717.tif 000033
【図３２】
2011095717.tif 000034
【図３３】
2011095717.tif 000035